(57)【要約】【課題】  ＣＰＵが故障した場合であっても、ドア部が開いた状態でユーザが接触し得る駆動部の駆動を抑制することができる。【解決手段】  ドア部１１１が開いた状態でユーザが接触可能な搬送モータ２１３と、ドア部１１１が開いた状態でユーザに非接触な位置に設けられたファンモータ２１４とは、ドア部１１１が閉じている場合、ＤＣ電源２０２から電力が供給される。このドア部１１１が開かれることにより、リレー回路２１０がＤＣ電源２０２から搬送モータ２１３およびファンモータ２１４への電力供給が遮断する。また、ドア部１１１が開かれた場合、ＦＥＴ３０６、３０７が電界コンデンサ２１５から搬送モータ２１３に電力が供給されることを禁止し、電界コンデンサ２１５からファンモータ２１４への電力供給を可能とさせる。【選択図】  図３
2012230245.tif 000002
【特許請求の範囲】
【請求項１】
開閉可能に設けられたドア部と、
電源ラインを介して電力が供給されることにより駆動する第１の駆動部と、
前記第１の駆動部と並列に接続され、前記電源ラインを介して電力が供給されることにより駆動する第２の駆動部と、
前記ドア部が閉じた状態で、前記電源ラインを介して電源から前記第１の駆動部と前記第２の駆動部とに電力を供給し、前記ドア部が開いた状態で、前記電源から前記第１の駆動部と前記第２の駆動部への電力の供給を遮断するスイッチ手段と、
前記スイッチ手段よりも下流側で、前記第１の駆動部及び前記第２の駆動部とに並列に、グランドに接続されるコンデンサと、
前記ドア部が開いた場合、前記コンデンサに蓄えられた電荷を前記第１の駆動部へ放出させることなく、前記第２の駆動部に放出させる制御手段と、を有することを特徴とする電子機器。
【請求項２】
前記スイッチ手段は、前記電源ラインに設けられた接点を開放させ、前記ドア部が閉じることに応じて、前記接点を導通させるリレー回路を有することを特徴とする請求項１に記載の電子機器。
【請求項３】
画像形成装置は更に、前記ドア部の開閉に応じた信号を出力する出力手段を有し、
前記制御手段は、前記出力手段から前記ドア部が開いたことを示す信号が出力されると、前記コンデンサに蓄えられた電荷を前記第１の駆動部へ放出させず、前記コンデンサに蓄えられた電荷を前記第２の駆動部に放出させるスイッチング素子を有することを特徴とする請求項１又は２に記載の電子機器。
【請求項４】
前記第１の駆動部は前記ドア部が開いた状態でユーザが接触可能な位置に配置され、前記第２の駆動部は前記ドア部が開いた状態であっても、ユーザが接触できない位置に配置されることを特徴とする請求項１乃至３のいずれか一項に記載の電子機器。
【発明の詳細な説明】
【技術分野】
【０００１】
本発明は電子機器において、特に安全機構を有する負荷の駆動制御に関する。
【背景技術】
【０００２】
従来から安全機構を有する電子機器として画像形成装置が知られている。
この画像形成装置は、紙詰まりが発生すると画像形成動作を中断し、ユーザによって装置に設けられた扉部が開けられ、紙詰まりの原因となる紙が除去された後、ユーザによって扉部が閉められることで、中断している画像形成動作を再開する構成となっている。そのため、画像形成装置は、扉部が開いたことに応じて、扉部を開けた状態でユーザが接触可能な各駆動部の駆動を停止し、扉部が閉じられたことに応じてこれら駆動部の駆動を再開するように制御されている。
【０００３】
また、従来から、ＣＰＵが誤動作した場合であっても扉部が開かれることに応じて、電源から駆動部への電力供給を遮断するインターロック機構が知られている（例えば、特許文献１）。特許文献１は、扉部が開くとドアスイッチによってリレーに印加される電圧が遮断され、このリレーが駆動部と電源とをつなぐ接点を開放することで、電源から駆動部への電力供給が停止される構成となっている。この構成によれば、ユーザが扉部を開けることで、電源から駆動部への電力供給を遮断させることができ、ＣＰＵの故障やノイズの影響により駆動部に誤信号が入力された場合であっても、駆動部の誤動作を防止することができる。
【０００４】
ここで、特許文献１では、駆動部に印加される電圧の変動を抑制するために、電源と駆動部とをつなぐ電源ライン上のリレーと駆動部との間に、この電源ラインとグランドとを接続するバイパスコンデンサが設けられている。このバイパスコンデンサは、電源ラインの接点が開放された状態から導通可能な状態へと切り替わる瞬間に突入電流が発生することで、駆動部に定格以上の電圧が印加されることを防止することができる。これは、電源ラインを介して電源から駆動部に定格以上の電圧が印加されると、バイパスコンデンサが余分な電流を電荷として一時的に蓄えることができるためである。また、バイパスコンデンサに蓄えられた電荷は、駆動部の消費電流が大きくなった瞬間に放出されることで、駆動部に印加される電圧が定格よりも少ない場合にも、この駆動部に印加される電圧の変動を補うことができる。
【先行技術文献】
【特許文献】
【０００５】
【特許文献１】特開２００３−２１７４１７号公報
【発明の概要】
【発明が解決しようとする課題】
【０００６】
しかしながら、ＣＰＵが故障したことにより、駆動部への電源供給が制御できなくなった場合、リレーが電源ラインの接点を開放し、電源から駆動部への電力供給を遮断した状態であっても、この駆動部が駆動されてしまう虞がある。
【０００７】
これは、リレーが電源ラインの接点を開放したことにより、駆動部に印加されている電圧が低下すると、バイパスコンデンサが駆動部の電圧変動を抑制しようとして、この駆動部に電圧を印加してしまうためである。
【０００８】
そこで、本発明では、ＣＰＵが故障した場合であっても、ドア部が開いた状態でユーザが接触し得る駆動部の駆動を抑制することができる電子機器を提供することを目的とする。
【課題を解決するための手段】
【０００９】
上記課題を解決するため、本発明に係る電子機器は、開閉可能に設けられたドア部と、電源ラインを介して電力が供給されることにより駆動する第１の駆動部と、前記第１の駆動部と並列に接続され、前記電源ラインを介して電力が供給されることにより駆動する第２の駆動部と、前記ドア部が閉じた状態で、前記電源ラインを介して電源から前記第１の駆動部と前記第２の駆動部とに電力を供給し、前記ドア部が開いた状態で、前記電源から前記第１の駆動部と前記第２の駆動部への電力の供給を遮断するスイッチ手段と、前記スイッチ手段よりも下流側で、前記第１の駆動部及び前記第２の駆動部とに並列に、グランドに接続されるコンデンサと、前記ドア部が開いた場合、前記コンデンサに蓄えられた電荷を前記第１の駆動部に放出させることなく、前記第２の駆動部に放出させる制御手段と、を有することを特徴とする。
【発明の効果】
【００１０】
本発明によれば、ＣＰＵが故障した場合であっても、ドア部が開いた状態でユーザが接触し得る駆動部の駆動を抑制することができる。
【図面の簡単な説明】
【００１１】
【図１】画像形成装置を示す概略断面図
【図２】画像形成装置のドア部を開けたときの要部斜視図
【図３】第１の実施形態の制御ブロック図
【発明を実施するための形態】
【００１２】
図１は本実施形態の画像形成装置１００の概略断面図である。
【００１３】
画像形成装置１００は、トナー像を担持する感光ドラム１０１と、この感光ドラム１０１を帯電する帯電器１０２と、感光ドラム１０１にトナー像に対応した静電潜像を形成するため、感光ドラム１０１を露光する露光装置１０３を有する。さらに、画像形成装置１００は、感光ドラム１０１上に形成された静電潜像を、トナーを有する現像剤を用いてトナー像として顕像化する現像器１０４と、感光ドラム１０１上のトナー像を紙などの記録材に転写する転写ローラ１０５を有する。また、画像形成装置１００は、記録材にトナー像を転写した後に感光ドラム１０１上に残留したトナーを除去するドラムクリーナ１０８と、記録材上に担持されるトナー像を熱と圧力によって定着する定着器１０６も有する。
【００１４】
次に、本実施形態の画像形成装置１００が、ＰＣ等の外部装置から画像データを入力されることで、この画像データに応じた画像を記録材に形成する画像形成動作について説明する。
【００１５】
画像データが入力されると、先ず、感光ドラム１０１が矢印Ａ方向へ回転し、帯電器１０２が感光ドラム１０１を一様に帯電する。次いで、露光装置１０３が矢印Ａ方向へ回転する感光ドラム１０１に、画像データに応じた露光光Ｅを照射することで、この画像データに対応した静電潜像を感光ドラム１０１上に形成する。その後、感光ドラム１０１上の静電潜像は、感光ドラム１０１と現像器１０４とが対向する現像位置へと移動される。現像位置では、現像器１０４がトナーを有する現像剤を用いて、感光ドラム１０１上の静電潜像をトナー像として顕像化する。感光ドラム１０１上のトナー像は、感光ドラム１０１が矢印Ａ方向へ回転駆動されることによって、転写ローラ１０５が感光ドラム１０１を押圧する転写ニップ部に搬送される。
【００１６】
一方、給紙カセット１１０に格納された記録材は、ピックアップローラ１０９により１枚ずつ給紙され、搬送ローラ１１５によってタイミングを調整されて感光ドラム１０１に担持されたトナー像と接触するように転写ニップ部へと搬送される。転写ニップ部では、転写電圧が印加された転写ローラ１０５により、感光ドラム１０１上のトナー像が記録材に転写される。トナー像を担持した記録材は搬送ベルト１１６によって定着器１０６へと搬送され、この定着器１０６の熱と圧力によってトナー像が定着されると、画像形成装置１００から印刷物として出力される。なお、本実施形態の画像形成装置１００は、定着器１０６がトナー像を定着するために加熱した記録材を冷却するため、ファン１１４によって定着器１０６を通過した記録材に風が送風される。また、転写ニップ部で記録材に転写されずに感光ドラム１０１に残留したトナーは、ドラムクリーナ１０８によって除去される。
【００１７】
図２は、画像形成装置１００に設けられた開閉可能なドア部１１１を開けた状態の要部斜視図である。なお、図２の矢印Ｆ方向から見たときの画像形成装置１００の要部概略図が図１に対応する。
【００１８】
画像形成装置１００は、画像形成動作中に紙詰まりを発生した場合、即座に記録材の搬送が停止され、表示部１１３に紙詰まりを発生したことをユーザに報知するためのメッセージが表示される。なお、本実施形態の画像形成装置１００は、給紙カセット１１０に収容された記録材がピックアップローラ１０９によって給紙されてから所定時間以内に所定の位置を通過していなければ、紙詰まりが発生していると判定する。ここで、記録材が所定の位置を通過したか否かを検知するセンサは公知の光学センサを用いればよく、時間の計測は不図示のカウンタを用いる構成とすればよい。また、画像形成装置１００のドア部１１１が矢印Ｂ方向へ開いた状態では、図１のピックアップローラ１０９、搬送ローラ１１５、転写ニップ部、搬送ベルト１１６が、ユーザに接触可能な位置に配置されている。これにより、画像形成装置１００で紙詰まりが発生した場合には、ユーザがドア部１１１を矢印Ｂ方向へ開き、紙詰まりの原因となる記録材を除去することができる。
【００１９】
また、ユーザによってドア部１１１が開かれた場合、図１のピックアップローラ１０９、搬送ローラ１１５、転写ニップ部、搬送ベルト１１６が、ユーザに接触可能な位置に配置されているため、これら駆動部はドア部１１１の開閉に応じて電力供給が遮断される。図２のフラグ１１２ａは、ユーザによるドア部１１１の開閉に応じてインターロックスイッチ１１２ｂのオンオフを切り替えることで、電源から駆動部への電力供給のオンオフを切り替える。ユーザによってドア部１１１が開けられると、このドア部１１１と一体に設けられたフラグ１１２ａがインターロックスイッチ１１２ｂから離間され、電源と駆動部とをつなぐ電源ライン上に設けられたリレーの接点をオフ状態とする。これにより、電源から駆動部への電力供給が遮断される。また、ユーザによってドア部１１１が閉じられると、このドア部１１１と一体に設けられたフラグ１１２ａがインターロックスイッチ１１２ｂを所定の位置に押し込むことにより、電源ライン上に設けられた接点をオン状態とする。これにより、電源から駆動部へ電力が供給可能となる。
【００２０】
次に、本実施形態の画像形成装置１００の回路構成について図３のブロック図に基づき説明する。
画像形成装置１００を制御するためのエンジン部２０４は、ＣＰＵ２０９を搭載したエンジン制御基板２０５と、ＣＰＵ２０９からの信号に応じて各駆動部を駆動させるドライバ基板２０７とを有している。このドライバ基板２０７は、搬送ローラ１１５（図１）を回転駆動させる搬送モータ２１３と、ファン１１４を回転駆動差させるファンモータ２１４とを駆動させる。なお、画像形成装置１００は、エンジン部２０４が帯電器１０２や露光装置１０３、現像器１０４、定着器１０６、ピックアップローラ１０９、搬送ベルト１１６を駆動させる複数のドライバを有しているが、以下の説明において、これらドライバの説明を省略する。
【００２１】
ＤＣ電源２０１は、画像形成装置１００の各部を制御するＣＰＵ２０９に電力を供給する。ＤＣ電源２０２は、搬送モータ２１３とファンモータ２１４とを駆動させるための電力を、ドライバ基板２０７を介して供給する。なお、ＤＣ電源２０１、２０２は、商用交流電源から画像形成装置１００に供給される電力を各駆動部に印加する直流電圧に変換する。また、ＤＣ電源２０１は５Ｖの電圧を出力し、ＤＣ電源２０２は、１２Ｖの電圧を出力する。
【００２２】
開閉検知部２１１は、インターロックスイッチ１１２ｂがオン状態の場合、ＤＣ電源２０１から電圧が印加されることによりドア部１１１が閉じたことを示す信号（ローレベルの信号）をＣＰＵ２０９へ出力する。また、開閉検知部２１１は、インターロックスイッチ１１２ｂがオフ状態の場合、ＤＣ電源２０１から電圧が印加されないためドア部１１１が閉じたことを示す信号（ハイレベルの信号）をＣＰＵ２０９へ出力する。これにより、ＣＰＵ２０９は、開閉検知部２１１から入力される信号に応じて、ドア部１１１の開閉状態を検知することができる。なお、開閉検知部２１１は、ドア部１１１の開閉状態を示す信号を出力するために、インターロックスイッチ１１２ｂを介して印加される電圧とは別に、ＤＣ電源２０１から電力が供給される。
【００２３】
リレー回路２１０は、インターロックスイッチ１１２ｂがオン状態の場合、ＤＣ電源２０１からコイル２１０ａに電源電圧が印加されることで、このコイル２１０ａが電磁石となり、ＤＣ電源２０２の電源ラインに設けた接点２１０ｂをオン状態（導通状態）とする。一方、リレー回路２１０は、インターロックスイッチ１１２ｂがオフ状態の場合、ＤＣ電源２０１からコイル２１０ａに印加される電源電圧が遮断されることで、ＤＣ電源２０２の電源ラインに設けた接点２１０ｂをオフ状態（開放状態）とする。ここで、リレー回路２１０は、ドア部１１１の開閉に応じて、ＤＣ電源２０２から搬送モータ２１３、及び、ファンモータ２１４への電力供給のオンオフを切り替えるスイッチ手段として機能する。
【００２４】
搬送モータ２１３は、ＣＰＵ２０９からの信号により、ドライバ基板２０７から供給される電流に応じて駆動することで、搬送ローラ１１５を回転させる。また、搬送モータ２１３は、ドア部１１１が開いた状態で、搬送ローラ１１５がユーザに接触可能な位置に配置されているため、インターロックスイッチ１１２ｂがオフ状態となることで、ＤＣ電源２０２からの電力供給が遮断される構成となっている。ここで、搬送モータ２１３及びこの搬送モータ２１３の駆動によって回転する搬送ローラ１１５とは、ドア部１１１が開いた状態で、ユーザに接触可能な位置に配置された第１の駆動部に相当する。
【００２５】
ファンモータ２１４は、ＣＰＵ２０９からの信号により、ドライバ基板２０７から供給される電流に応じた回転速度で駆動する。また、ファンモータ２１４は搬送モータ２１３と並列に、グランドに接続されている。なお、ファン１１４は、ドア部１１１が開いた状態でユーザに接触できない位置に配置されている。
【００２６】
ＤＣ電源２０２からの電源ラインに、搬送モータ２１３及びファンモータ２１４とに並列に接続した電界コンデンサ２１５は、ＤＣ電源２０２から搬送モータ２１３とファンモータ２１４とに供給される電力を安定させるためのバイパスコンデンサである。なお、電界コンデンサ２１５は、インターロックスイッチ１１２ｂよりも下流側で、搬送モータ２１３やファンモータ２１４と並列に、グランドに接続されている。この電界コンデンサ２１５は、ドア部１１１が閉じられ、インターロックスイッチ１１２ｂがオフ状態からオン状態へと切り替わる瞬間に、ＤＣ電源２０２から搬送モータ２１３とファンモータ２１４とに突入電流が供給されることを防止する。しかし、電界コンデンサ２１５は、インターロックスイッチ１１２ｂがオフ状態となった後に、搬送モータ２１３およびファンモータ２１４へ放電してしまい、この搬送ローラ１１５やファン１１４を駆動させてしまう虞がある。これは、電界コンデンサ２１５が、ＤＣ電源２０２から電力が供給されることで蓄えた電荷を、ＤＣ電源２０２から電力の供給が減少した際に放出するためである。
【００２７】
これは、ＣＰＵ２０９の故障やノイズが原因でＣＰＵ２０９から搬送ローラ１１５を駆動させる誤信号が出力された場合に、電界コンデンサ２１５から搬送モータ２１３への放電によって搬送モータ２１３が駆動されてしまうことで引き起こされる。つまり、搬送モータ２１３は、インターロックスイッチ１１２ｂがオフ状態であり、ＤＣ電源２０２からの電力供給が遮断されている場合であっても、電界コンデンサ２１５からの放電によって搬送ローラ１１５を駆動してしまう。
【００２８】
そこで、本実施形態では、電界コンデンサ２１５と搬送ローラ１１５との間にＦＥＴ３０７を設け、ドア部１１１が開いた場合に、ＣＰＵ２０９からの信号に拘わらず、搬送モータ２１３の駆動を禁止する構成とした。ここで、ＦＥＴとは、電界効果トランジスタである。これにより、ＦＥＴ３０７は、ＣＰＵ２０９から誤信号が出力された場合であっても、電界コンデンサ２１５から搬送モータ２１３への放電を防止することができる。さらに、本実施形態では、電界コンデンサ２１５とファンモータ２１４との間にＦＥＴ３０６を設け、ドア部１１１が開いた場合に、ＣＰＵ２０９からの信号に拘わらず、ファンモータ２１４を駆動させる構成とした。本実施形態では、ＦＥＴ３０６、３０７を設けることにより、電界コンデンサ２１５から搬送モータ２１３への放電を防止させつつ、電界コンデンサ２１５に蓄えられた電荷を、ファンモータ２１４を駆動させることによって強制的に消費させている。ここで、ファンモータ２１４及びこのファンモータ２１４の駆動によって回転するファン１１４とは、ドア部１１１が開いた状態でユーザが接触できない位置に配置された第２の駆動部に相当する。
【００２９】
ＦＥＴ３０６は、ソースにＤＣ電源２０２からの電源ラインが接続され、ドレインにファンモータ２１４が接続され、ゲートにＣＰＵ２０９からの信号線が接続されている。また、ＦＥＴ３０７は、ソースにＤＣ電源２０２からの電源ラインが接続され、ドレインに搬送モータ２１３が接続され、ゲートにＣＰＵ２０９からの信号線が接続されている。
【００３０】
ＦＥＴ３０７は、開閉検知部２１１からドア部１１１が閉じている状態を示す信号が出力されている間、ＣＰＵ２０９からの信号に応じて、搬送モータ２１３への電力供給のオンオフを切り替える。しかし、ＦＥＴ３０７は、開閉検知部２１１からドア部１１１が開いている状態を示す信号が出力されている間、ＣＰＵ２０９からの信号に拘わらず、電界コンデンサ２１５から搬送モータ２１３への電力供給を禁止する。
【００３１】
一方、ＦＥＴ３０６は、開閉検知部２１１からドア部１１１が閉じている状態を示す信号が出力されている間、ＣＰＵ２０９からの信号に応じて、ファンモータ２１４への電力供給のオンオフを切り替える。しかし、ＦＥＴ３０６は、ドア部１１１が開いている間、ＣＰＵ２０９からの信号に拘わらず、電界コンデンサ２１５からの放電によりファンモータ２１４を駆動させる。そのため、ＦＥＴ３０６は、開閉検知部２１１からドア部１１１が開いている状態を示す信号が出力されている間、電界コンデンサ２１５からファンモータ２１４へ電力を供給可能な状態とする。
【００３２】
次に、エンジン制御基板２０５に設けられた各論理回路について説明する。
【００３３】
エンジン制御基板２０５には、ＣＰＵ２０９から出力される信号と開閉検知部２１１から出力される信号とから、ＦＥＴ３０６のゲートに入力される信号を出力するために、ＯＲ回路３０１、ＮＯＴ回路３０２が設けられている。ＯＲ回路３０１には、ＣＰＵ２０９から出力されるファンモータ２１４の駆動を制御するための信号と、開閉検知部２１１から出力されるドア部１１１の開閉状態を示す信号とが入力される。このＯＲ回路３０１から出力される信号がＮＯＴ回路３０２に入力されることにより、ＦＥＴ３０６のゲートに入力される信号が決定される。
【００３４】
また、エンジン制御基板２０５には、ＣＰＵ２０９から出力される信号と開閉検知部２１１から出力される信号とから、ＦＥＴ３０７のゲートに入力される信号を出力するために、ＮＯＴ回路３０３、ＡＮＤ回路３０４、ＮＯＴ回路３０５が設けられている。ＮＯＴ回路３０３には、開閉検知部２１１から出力されるドア部１１１の開閉状態を示す信号が入力される。ＡＮＤ回路３０４には、ＮＯＴ回路３０３から出力される信号と、ＣＰＵ２０９から出力される搬送モータ２１３の駆動を制御するための信号とが入力される。このＡＮＤ回路３０４から出力される信号がＮＯＴ回路３０５回路に入力されることにより、ＦＥＴ３０７のゲートに入力される信号が決定される。
【００３５】
次に、開閉検知部２１１から出力される信号と、ＣＰＵ２０９から出力される信号、ＦＥＴ３０６に入力される信号、ＦＥＴ３０７に入力される信号を説明する。なお、開閉検知部２１１は、ドア部１１１が開いている場合にハイレベルの信号を出力し、ドア部１１１が閉じている場合にローレベルの信号を出力する。また、ＣＰＵ２０９は、ファンモータ２１４を駆動させる信号がハイレベル、ファンモータ２１４の駆動を停止させる信号がローレベルであり、搬送モータ２１３を駆動させる信号がハイレベル、搬送モータ２１３の駆動を停止させる信号がローレベルである。
【００３６】
先ず、ドア部１１１が閉まっている場合のファンモータ２１４の駆動について説明する。このとき、開閉検知部２１１はドア部１１１が閉まっているため、ローレベルの信号を出力する。
【００３７】
ＣＰＵ２０９からファンモータ２１４を駆動させる信号（ハイレベル）が出力されると、ＯＲ回路３０１は、ＣＰＵ２０９から出力されるハイレベルの信号と、開閉検知部２１１から出力されるローレベルの信号とが入力され、ハイレベルの信号を出力する。ＯＲ回路３０１から出力されるハイレベルの信号は、ＮＯＴ回路３０２によってローレベルの信号に反転されてＦＥＴ３０６に出力される。ＦＥＴ３０６は、ＮＯＴ回路３０２から出力されるローレベルの信号がゲートに入力されると、ソース−ドレイン間に電流が流れ、ＤＣ電源２０２からファンモータ２１４へ電力を供給させる。これによってファン１１４が駆動される。
【００３８】
また、ＣＰＵ２０９からファンモータ２１４の駆動を停止させる信号（ローレベル）が出力されると、ＯＲ回路３０１は、ＣＰＵ２０９から出力されるローレベルの信号と、開閉検知部２１１から出力されるローレベルの信号とが入力され、ローレベルの信号を出力する。ＯＲ回路３０１から出力されるローレベルの信号は、ＮＯＴ回路３０２によってハイレベルの信号に判定されてＦＥＴ３０６に出力される。ＦＥＴ３０６は、ＮＯＴ回路３０２から出力されるハイレベルの信号がゲートに入力されると、ソース−ドレイン間を流れる電流をせき止め、ＤＣ電源２０２からファンモータ２１４への電力供給を遮断させる。このとき、ＦＥＴ３０６はソース−ドレイン間に流れる電流をせき止めているため、電界コンデンサ２１５からファンモータ２１４へ電荷が放出されることで、ファンモータ２１４が駆動されることもない。これによってファンモータ２１４の駆動が停止される。
【００３９】
次に、ドア部１１１が開いている場合のファンモータ２１４の駆動について説明する。このとき、開閉検知部２１１はドア部１１１が開いているため、ハイレベルの信号を出力する。
【００４０】
ＣＰＵ２０９からファンモータ２１４を駆動させる信号（ハイレベル）が出力されると、ＯＲ回路３０１は、ＣＰＵ２０９から出力されるハイレベルの信号と、開閉検知部２１１から出力されるハイレベルの信号とが入力され、ハイレベルの信号を出力する。ＯＲ回路３０１から出力されるハイレベルの信号は、ＮＯＴ回路３０２によってローレベルの信号に反転されてＦＥＴ３０６に出力される。ＦＥＴ３０６は、ＮＯＴ回路３０２から出力されるローレベルの信号がゲートに入力されると、ソース−ドレイン間に電流を流し、電界コンデンサ２１５からファンモータ２１４への電力供給を可能とする。しかし、ＤＣ電源２０２からの電源ラインはリレー回路２１０によって遮断されている。そのため、ファンモータ２１４は、電界コンデンサ２１５に電荷が蓄積されている場合に、この電界コンデンサ２１５に蓄積された電荷がファンモータ２１４を駆動できないレベルまで低下するまで駆動される。
【００４１】
また、ＣＰＵ２０９からファンモータ２１４の駆動を停止させる信号（ローレベル）が出力されると、ＯＲ回路３０１は、ＣＰＵ２０９から出力されるがローレベルの信号と、開閉検知部２１１から出力されるハイレベルの信号とが入力され、ハイレベルの信号を出力する。ＯＲ回路３０１から出力されるハイレベルの信号は、ＮＯＴ回路３０２によってローレベルの信号に反転されてＦＥＴ３０６に出力される。ＦＥＴ３０６は、ＮＯＴ回路３０２から出力されるローレベルの信号がゲートに入力されると、ソース−ドレイン間に電流を流し、電界コンデンサ２１５からファンモータ２１４への電力供給を可能とする。しかし、ＤＣ電源２０２からの電源ラインはリレー回路２１０によって遮断されている。そのため、ファンモータ２１４は、電界コンデンサ２１５に電荷が蓄積されている場合に、この電界コンデンサ２１５に蓄積された電荷がファンモータ２１４を駆動できないレベルまで低下するまで駆動される。
【００４２】
すなわち、ＦＥＴ３０６とＯＲ回路３０１、ＮＯＴ回路３０２は、ドア部１１１が開いている場合、ＣＰＵ２０９から出力される信号に拘わらず、電界コンデンサ２１５に蓄積される電荷が低下するまでファンモータ２１４を駆動させることができる。
【００４３】
次に、ドア部１１１が閉まっている場合の搬送モータ２１３の駆動について説明する。このとき、開閉検知部２１１はドア部１１１が閉まっているため、ローレベルの信号を出力する。
【００４４】
開閉検知部２１１からローレベルの信号が出力されると、ＮＯＴ回路３０３が、ハイレベルの信号に反転させ、ＡＮＤ回路３０４に出力する。ＣＰＵ２０９から搬送モータ２１３を駆動させる信号（ハイレベル）が出力されると、ＡＮＤ回路３０４は、ＣＰＵ２０９から出力されるハイレベルの信号と、ＮＯＴ回路３０３から出力されるハイレベルの信号とが入力され、ハイレベルの信号を出力する。ＡＮＤ回路３０４から出力されるハイレベルの信号は、ＮＯＴ回路３０５によってローレベルの信号に反転されてＦＥＴ３０７に出力される。ＦＥＴ３０７は、ＮＯＴ回路３０５から出力されるローレベルの信号がゲートに入力されると、ソース−ドレイン間に電流が流れ、ＤＣ電源２０２から搬送モータ２１３へ電力を供給させる。これによって搬送モータ２１３が回転し、搬送ローラ１１５が駆動される。
【００４５】
また、ＣＰＵ２０９から搬送モータ２１３の駆動を停止させる信号（ローレベル）が出力されると、ＡＮＤ回路３０４は、ＣＰＵ２０９から出力されるローレベルの信号と、ＮＯＴ回路３０３からのハイレベルの信号とが入力され、ローレベルの信号を出力する。ＡＮＤ回路３０４から出力されるローレベルの信号は、ＮＯＴ回路３０５によってハイレベルの信号に反転されてＦＥＴ３０７に出力される。ＦＥＴ３０７は、ＮＯＴ回路３０５から出力されるハイレベルの信号がゲートに入力されると、ソース−ドレイン間に流れる電流をせき止め、ＤＣ電源２０２から搬送モータ２１３への電力供給を遮断させる。このとき、ＦＥＴ３０７はソース−ドレイン間に流れる電流をせき止めているため、電界コンデンサ２１５から搬送モータ２１３へ電荷が放出されることで、搬送モータ２１３が駆動されることもない。これによって搬送モータ２１３の回転が停止され、搬送ローラ１１５の駆動が停止される。
【００４６】
次に、ドア部１１１が開いている場合の搬送モータ２１３の駆動について説明する。このとき、開閉検知部２１１はドア部１１１が開いているため、ハイレベルの信号を出力する。
【００４７】
開閉検知部２１１からハイレベルの信号が出力されると、ＮＯＴ回路３０３が、ローレベルの信号に反転させ、ＡＮＤ回路３０４に出力する。ＣＰＵ２０９から搬送モータ２１３を駆動させる信号（ハイレベル）が出力されると、ＡＮＤ回路３０４は、ＣＰＵ２０９から出力されるハイレベルの信号と、ＮＯＴ回路３０３からのローレベルの信号とが入力され、ローレベルの信号を出力する。ＡＮＤ回路３０４から出力されるローレベルの信号は、ＮＯＴ回路３０５によってハイレベルの信号に反転されてＦＥＴ３０７に出力される。ＦＥＴ３０７は、ＮＯＴ回路３０５から出力されるハイレベルの信号がゲートに入力されると、ソース−ドレイン間に流れる電流をせき止め、ＤＣ電源２０２から搬送モータ２１３への電力供給を遮断させる。このとき、ＦＥＴ３０７はソース−ドレイン間に流れる電流をせき止めているため、電界コンデンサ２１５から搬送モータ２１３へ電荷が放出されることで、搬送モータ２１３が駆動されることもない。これによって搬送モータ２１３の回転が停止され、搬送ローラ１１５の駆動が停止される。
【００４８】
また、ＣＰＵ２０９から搬送モータ２１３の駆動を停止させる信号（ローレベル）が出力されると、ＡＮＤ回路３０４は、ＣＰＵ２０９から出力されるローレベルの信号と、ＮＯＴ回路３０３からのローレベルの信号とが入力され、ローレベルの信号を出力する。ＡＮＤ回路３０４から出力されるローレベルの信号は、ＮＯＴ回路３０５によってハイレベルの信号に反転されてＦＥＴ３０７に出力される。ＦＥＴ３０７は、ＮＯＴ回路３０５から出力されるハイレベルの信号がゲートに入力されると、ソース−ドレイン間に流れる電流をせき止め、ＤＣ電源２０２から搬送モータ２１３への電力供給を遮断させる。このとき、ＦＥＴ３０７はソース−ドレイン間に流れる電流をせき止めているため、電界コンデンサ２１５から搬送モータ２１３へ電荷が放出されることで、搬送モータ２１３が駆動されることもない。これによって搬送モータ２１３の回転が停止され、搬送ローラ１１５の駆動が停止される。
【００４９】
ＦＥＴ３０７は、ドア部１１１が開いた場合、ＣＰＵ２０９から出力される信号に拘わらず、搬送モータ２１３への電力供給を遮断している。また、ドア部１１１が開いた場合には、ファンモータ２１４が駆動されることにより電界コンデンサ２１５に蓄積された電荷が放出されるため、この電界コンデンサ２１５によって搬送モータ２１３が回転し、搬送ローラ１１５が駆動されることを防止できる。
【００５０】
したがって、ＦＥＴ３０６、３０７は、開閉検知部２１１から出力されるドア部１１１の開状態を示す信号に応じて、電界コンデンサ２１５に蓄えられた電荷を搬送モータ２１３へ放出させず、電界コンデンサ２１５からファンモータ２１４へ放出させるスイッチング素子に相当する。また、ＦＥＴ３０６、３０７、ＯＲ回路３０１、ＮＯＴ回路３０２、３０３、３０５、ＡＮＤ回路３０４は、ドア部１１１が開いた場合、電界コンデンサ２１５に蓄えられた電荷を搬送モータ２１３へ放出させず、ファンモータ２１４に放出させる制御手段として機能している。
【００５１】
また、本実施形態のＣＰＵ２０９から出力される信号は、ファンモータ２１４を駆動させる信号をハイレベル、ファンモータ２１４の駆動を停止させる信号をローレベルとした。しかしながら、ＣＰＵ２０９がファンモータ２１４の駆動を制御するために出力する信号は、ファンモータ２１４を駆動させる信号をローレベル、ファンモータ２１４の駆動を停止させる信号をハイレベルとしてもよい。また、開閉検知部２１１から出力されるドア部１１１の開閉状態を示す信号は、ドア部１１１が開いていればローレベル、ドア部１１１が閉じていればハイレベルとしてもよい。この構成とする場合、ドア部１１１が閉じている状態でＦＥＴ３０６のゲートに入力される信号が、ローレベルとなるように論理回路が構成されていればよい。
【００５２】
同様に、ＣＰＵ２０９から出力される信号は、搬送モータ２１３を駆動させる信号をローレベル、搬送モータ２１３の駆動を停止させる信号をハイレベルとしてもよい。この構成とする場合、ドア部１１１が閉じている状態でＦＥＴ３０７のゲートに入力される信号が、ハイレベルとなるように論理回路が構成されていればよい。
【００５３】
また、本実施形態では、画像形成装置を例に説明したが、安全機構となっているにも拘らずコンデンサの電荷の放出によって、ユーザが接触可能な位置に配置された負荷に電流が供給されてしまう電子機器であれば、本発明をどのようなものに適用してもよい。
【符号の説明】
【００５４】
１１１  ドア部
２１４  ファンモータ
２１３  搬送モータ
２１０  リレー回路
２１５  電界コンデンサ
３０６  ＦＥＴ
３０７  ＦＥＴ
【図１】
2012230245.tif 000003
【図２】
2012230245.tif 000004
【図３】
2012230245.tif 000005